(57)【要約】【課題】待機電力削減のために室内機側にて室外機の電源を遮断するようにした場合、次に電源投入されるたびに膨張弁のイニシャライズ制御を行うことになり、膨張弁単体の信頼性を満足することが難しいという課題があった。【解決手段】室外機に対して電源投入直後に膨張弁１３のイニシャライズ制御の必要の有無を、室外機が有している電子制御装置３０のみで判断することで、膨張弁単体の信頼性を確保し、製品として動作停止などを防止することができる。【選択図】図２
2007292419.tif 000002
【特許請求の範囲】
【請求項１】
圧縮機、膨張弁、蒸発器および前記圧縮機や前記膨張弁などを制御する第１の電子制御装置を有している室外機と、室内温度センサ、ファンモータ、風向制御のためのステッピングモータおよび前記ファンモータや前記ステッピングモータを制御する第２の電子制御装置を有した室内機からなり、前記室外機の電源は前記室内機を介して供給される空気調和機において、電源投入直後に前記室外機の膨張弁のイニシャライズ制御の必要の有無を、室外機が有している第１の電子制御装置のみで判断することを特徴とする空気調和機。
【請求項２】
室外機に対して電源投入直後に膨張弁のイニシャライズ制御の必要の有無を、室外機への電源投入回数で判断することを特徴とする請求項１記載の空気調和機。
【請求項３】
室外機に対して電源投入直後に膨張弁のイニシャライズ制御の必要の有無を、室外機が電源遮断されたときの膨張弁停止位置にて判断することを特徴とする請求項１記載の空気調和機。
【請求項４】
室外機に対して電源投入直後に前記膨張弁のイニシャライズ制御の必要の有無を、室外機が有している電子制御装置と、室内機が有している電子制御装置からの情報を含めて判断することを特徴とする請求項１記載の空気調和機。
【発明の詳細な説明】
【技術分野】
【０００１】
本発明は、圧縮機、膨張弁、蒸発器および前記圧縮機や前記膨張弁などを制御する第１の電子制御装置を有している室外機と、室内温度センサ、ファンモータ、風向制御のためのステッピングモータおよび前記ファンモータや前記ステッピングモータを制御する第２の電子制御装置を有した室内機からなる空気調和機において、前記室外機の電源は前記室内機を介して供給される前記空気調和機の膨張弁のイニシャライズ制御に関する。
【背景技術】
【０００２】
従来の技術では、室外機への電源は空気調和機が運転を開始する時に供給され、運転を行なっていない時は、室内機からの電源供給を遮断しており、室外機へ電源が供給されるたびにイニシャライズ制御を行なっていた（例えば、特許文献１参照）。
【０００３】
図３はその動作フローチャートであり、室外機の電子制御装置３０に電源が供給されると、無条件で膨張弁イニシャライズ制御を行う構成になっている。
【特許文献１】特開２００３−２２２４１３号公報
【発明の開示】
【発明が解決しようとする課題】
【０００４】
しかしながら、前記従来の構成では、室外機に電源供給されるたびに膨張弁のイニシャライズ制御を行うことになり、膨張弁単体の信頼性を満足することが難しいという課題があった。
【０００５】
本発明は、上記従来の課題を解決するもので、室外機が有している電子制御装置のみを用いて、膨張弁のイニシャライズ制御の必要性を判断することによって、不必要なイニシャライズ制御の回数を減らし、膨張弁単体の信頼性を向上することを目的とする。
【課題を解決するための手段】
【０００６】
前記従来の課題を解決するために、本発明の空気調和機は、圧縮機、膨張弁、蒸発器および圧縮機や膨張弁などを制御する第１の電子制御装置を有している室外機と、室内温度センサ、ファンモータ、風向制御のためのステッピングモータおよびファンモータやステッピングモータを制御する第２の電子制御装置を有した室内機からなる空気調和機において、室外機の電源は室内機を介して供給される空気調和機において、室外機に対して電源投入直後に膨張弁のイニシャライズ制御の必要の有無を、室外機が有している第１の電子制御装置のみで判断するものである。
【０００７】
これによって、不必要なイニシャライズ制御の回数を減らして膨張弁単体の信頼性を向上することができる。
【発明の効果】
【０００８】
本発明の空気調和機は、膨張弁のイニシャライズ制御の有無を室外機が有している電子制御装置のみで判定することにより、膨張弁単体の信頼性を確保し、製品として動作停止などを防止すると共に、膨張弁の制御に関して室内機に依存することがないため、ＯＥＭなど他社との協業も円滑に行なうことができる。
【発明を実施するための最良の形態】
【０００９】
第１の発明は、圧縮機、膨張弁、蒸発器および圧縮機や膨張弁などを制御する第１の電子制御装置を有している室外機と、室内温度センサ、ファンモータ、風向制御のためのス
テッピングモータおよびファンモータやステッピングモータを制御する第２の電子制御装置を有した室内機からなる空気調和機において、室外機の電源は室内機を介して供給される空気調和機において、室外機に対して電源投入直後に膨張弁のイニシャライズ制御の必要の有無を、室外機が有している電子制御装置のみで判断することで、膨張弁単体の信頼性を確保し、製品として動作停止などを防止することが可能となる。
【００１０】
第２の発明は、特に第１の発明で、膨張弁のイニシャライズ制御の有無を室外機への電源投入回数のみで判断することにより、膨張弁単体の信頼性を確保し、製品として動作停止などを防止することが可能となる。
【００１１】
第３の発明は、特に第１の発明で、膨張弁のイニシャライズ制御の有無を室外機への電源が遮断されたときの、膨張弁の開度のみで判断することにより、膨張弁単体の信頼性を確保し、製品として動作停止などを防止することが可能となる。
【００１２】
第４の発明は、特に第１の発明で、膨張弁のイニシャライズ制御の有無を室内機からの情報を含めて判断することにより、膨張弁単体の信頼性を確保し、製品として動作停止などを防止することが可能となる。
【００１３】
（実施の形態１）
図１および図２は本発明の実施の形態１における室外機と運転制御を示したものである。
【００１４】
図１において、室外機は、インバータ式圧縮機１１、減圧装置１３、蒸発器１４を冷媒配管１５により環状に接続して構成された冷媒回路と、インバータ式圧縮機１１や減圧装置１３を制御する電子制御装置３０を有しており、室内機は熱交換器１２と、室内ファンモータ１７などを制御する電子制御装置３１有し、電子制御装置３１はＡＣ電源３２から電源供給を受け、室外機の電子制御装置３０への電源供給を制御する空気調和機である。
【００１５】
次に本実施の形態の作用を説明する。図２は、図１の構成により室外機の電子制御装置３０により、膨張弁イニシャライズ制御の有無を判定し、膨張弁イニシャライズ制御が必要ない場合は、膨張弁イニシャライズ制御を行わずに通常制御４３へ遷移することで、膨張弁単体の信頼性を確保し、製品として動作停止などを防止することが可能となる。したがって冷房が効かない、暖房が効かないなど空気調和機としての機能をそこなうことなく運転を継続することが可能となる。
【００１６】
（実施の形態２）
実施の形態１での判定方法として、室外機への電源投入回数で判断することにより、不必要な膨張弁イニシャライズ制御を行わずに通常制御４３へ遷移することで、膨張弁単体の信頼性を確保し、製品として動作停止などを防止することが可能となる。したがって冷房が効かない、暖房が効かないなど空気調和機としての機能をそこなうことなく運転を継続することが可能となる。
【００１７】
（実施の形態３）
実施の形態１での判定方法として、室外機への電源が遮断されたときの膨張弁の開度で判断することにより、不必要な膨張弁イニシャライズ制御を行わずに通常制御４３へ遷移することで、膨張弁単体の信頼性を確保し、製品として動作停止などを防止することが可能となる。したがって冷房が効かない、暖房が効かないなど空気調和機としての機能をそこなうことなく運転を継続することが可能となる。
【００１８】
（実施の形態４）
実施の形態１での判定方法として、室内機からの情報を含めて判断することにより、不必要な膨張弁イニシャライズ制御を行わずに通常制御４３へ遷移することで、膨張弁単体の信頼性を確保し、製品として動作停止などを防止することが可能となる。したがって冷房が効かない、暖房が効かないなど空気調和機としての機能をそこなうことなく運転を継続することが可能となる。
【図面の簡単な説明】
【００１９】
【図１】本発明の実施の形態１におけるシステムの構成ブロック図
【図２】本発明の実施の形態１におけるアルゴリズムのフローチャート
【図３】従来のアルゴリズムのフローチャート
【符号の説明】
【００２０】
１１  インバータ式圧縮機
１２  熱交換器
１３  減圧装置（電磁膨張弁）
１４  蒸発器
１５  冷媒配管
１６  室内ファン
１７  室内ファンモータ
１８  室外ファン
１９  室外ファンモータ
３０  室外機の電子制御装置
３１  室内機の電子制御装置
３２  ＡＣ電源
３３  電源供給線
【図１】
2007292419.tif 000003
【図２】
2007292419.tif 000004
【図３】
2007292419.tif 000005